(57)【要約】【課題】本発明は、放熱効果を向上させ、且つ熱膨張を吸収する支持部材及び該支持部材を有する太陽電池モジュールを提供することを目的とする。【解決手段】本発明の支持部材は、太陽電池モジュールに使用され、且つ１つあるいは複数の内部空間を備え、前記１つあるいは複数の内部空間は、相変化材料を収容する。【選択図】図２
2016219789.tif 000002
【特許請求の範囲】
【請求項１】
太陽電池モジュールに使用される支持部材において、
前記支持部材は、１つあるいは複数の内部空間を備え、前記１つあるいは複数の内部空間は、相変化材料を収容することを特徴とする支持部材。
【請求項２】
前記支持部材は、ハニカム構造を備え、前記ハニカム構造には、前記１つあるいは複数の内部空間を備え、前記ハニカム構造の前記１つあるいは複数の内部空間は、相変化材料を収容することを特徴とする請求項１に記載の支持部材。
【請求項３】
前記支持部材は、互いに対向し、且つ一定な間隙をあける複数の前記ハニカム構造を備え、前記複数のハニカム構造との間には、前記１つあるいは複数の内部空間が形成され、前記複数のハニカム構造との間の前記１つあるいは複数の内部空間は、相変化材料を収容することを特徴とする請求項２に記載の支持部材。
【請求項４】
前記支持部材の表面には、１つの金属板が設置されており、該金属板の表面には、複数の通孔が設けられることを特徴とする請求項１に記載の支持部材。
【請求項５】
前記支持部材は、複数の組み立て構造を備え、前記複数の組み立て構造は、それぞれ前記ハニカム構造を備えることを特徴とする請求項２に記載の支持部材。
【請求項６】
前記組み立て構造の一側には、突起が形成し、前記組み立て構造の別の一側には、凹溝が形成し、１つの前記組み立て構造の突起は、もう１つの前記組み立て構造の凹溝に収容され、前記突起と前記凹溝との間の間隙がすることを特徴とする請求項５に記載の支持部材。
【請求項７】
前記支持部材は、第一接続部及び第二接続部を備え、前記第一接続部及び前記第二接続部は、それぞれ１つの前記支持部材の対向する両側面に設置され、１つの前記支持部材の第一接続部と、もう１つの前記支持部材の第二接続部とを回転可能に接続して、複数の前記支持部材が互いに回転可能に接続することを特徴とする請求項１から６のいずれか１項に記載の支持部材。
【請求項８】
前記第一接続部は、突起を備え、前記第二接続部は、前記突起と組み合わせる凹溝を備え、前記突起は、前記凹溝内に回転可能に収容されて、２つの前記支持部材が回転可能に接続することを特徴とする請求項７に記載の支持部材。
【請求項９】
前記突起は、中空の突起であり、前記突起の内部には、電線が通過していることを特徴とする請求項８に記載の支持部材。
【請求項１０】
前記支持部材は、接続棒を備え、前記第一接続部は、前記支持部材の一側面の両端に設置されている第一中空部及び第二中空部を備え、前記第二接続部は、前記支持部材の別の一側面に第三中空部が形成し、１つの前記支持部材の第三中空部は、もう１つの前記支持部材の第一中空部と第二中空部との間に収容し、前記接続棒は、前記第一中空部、前記第三中空部及び前記第二中空部の順に通過して、２つの前記支持部材が回転可能に接続されることを特徴とする請求項７に記載の支持部材。
【請求項１１】
前記第一接続部及び前記第二接続部は、それぞれ四角柱を呈し、前記第一接続部には、第一斜面が形成し、前記第二接続部には、第二斜面が形成し、前記第一斜面は、前記第二斜面と接触して組み合わせて、１つの前記支持部材ともう１つの前記支持部材とが１つの角度を成すことを特徴とする請求項７に記載の支持部材。
【請求項１２】
保護板、太陽電池及び支持部材を備え、前記太陽電池は、前記保護板と前記支持部材との間に位置する太陽電池モジュールについて、
請求項１から１１のいずれか１項に記載の支持部材を備えることを特徴とする太陽電池モジュール。
【発明の詳細な説明】
【技術分野】
【０００１】
本発明は、太陽電池モジュールに関し、特に支持部材を有する太陽電池モジュールに関するものである。
【背景技術】
【０００２】
太陽電池モジュールとは、太陽の光エネルギーを吸収して直接電気に変えるか或いは、直接熱エネルギーに変える素子である。図１に示したように、従来の太陽電池モジュール１００は、保護板１０１、太陽電池１０２、バックシート１０３及び支持部材１０４を備える。バックシート１０３は、プラスチックから製造される。支持部材１０４は、金属から製造される。太陽電池モジュールが充電或いは放電する際、大量の熱が発生し、且つ熱膨張が発生して、太陽電池モジュールの使用寿命に影響を与える。また、太陽電池モジュールは固定的な取り付け角度を有するが、異なる位置及び異なる環境によって、太陽電池モジュールの取り付け角度を変更することができないので、取り付けが不便である。
【発明の概要】
【発明が解決しようとする課題】
【０００３】
以上の問題点に鑑みて、本発明は、放熱効果を向上させ、且つ熱膨張を吸収する支持部材及び該支持部材を有する太陽電池モジュールを提供することを目的とする。
【課題を解決するための手段】
【０００４】
上記の課題を解決するために、本発明の支持部材は、太陽電池モジュールに使用され、且つ１つあるいは複数の内部空間を備え、前記１つあるいは複数の内部空間は、相変化材料を収容する。
【０００５】
上記の課題を解決するために、本発明の太陽電池モジューは、保護板、太陽電池及び支持部材を備え、前記太陽電池は、前記保護板と前記支持部材との間に位置し、太陽電池モジューは、更に上記の支持部材を備える。
【発明の効果】
【０００６】
従来の技術に比べて、本発明の支持部材は、１つ或いは複数の内部空間を形成し、１つ或いは複数の内部空間には、相変化材料が収容されて、放熱効果を向上させ、太陽電池モジュールが熱を原因として損壊することを防止し、且つ通孔が設けられている金属板、或いは支持部材の組み立て構造との間隙によって熱膨張を吸収することができる。
【図面の簡単な説明】
【０００７】
【図１】従来の太陽電池モジュールの断面分解図である。
【図２】本発明の第一実施形態に係る太陽電池モジュールの断面分解図である。
【図３】図２に示した太陽電池モジュールの分解斜視図である。
【図４】本発明の第二実施形態に係る太陽電池モジュールの分解斜視図である。
【図５】本発明の第三実施形態に係る太陽電池モジュールの断面図である。
【図６】本発明の第三実施形態に係る太陽電池モジュールの分解斜視図である。
【図７】本発明の第四実施形態に係る太陽電池モジュールの分解斜視図である。
【図８】本発明の第五実施形態に係る太陽電池モジュールの分解斜視図である。
【図９】本発明の第六実施形態に係る太陽電池モジュールの分解斜視図である。
【図１０】本発明の第七実施形態に係る太陽電池モジュールの支持部材の斜視図である。
【図１１】本発明の第八実施形態に係る太陽電池モジュールの断面分解図である。
【発明を実施するための形態】
【０００８】
図２及び図３に示したように、第一実施形態に係る本発明の太陽電池モジュール２００は、保護板２０１、太陽電池２０２及び支持部材２０３の順に重なって構成される。保護板２０１は、シリコーンから製造され、軽量で、保護機能も良い。詳しく説明すると、本実施形態において、保護板２０１は、高分子有機シリコーン化合物から製造され、例えば、ＰＤＭＳ（ｐｏｌｙｄｉｍｅｔｈｙｌｓｉｌｏｘａｎｅ）から製造される。太陽電池２０２は、２つのＥＶＡ（ｅｔｈｙｌｅｎｅ−ｖｉｎｙｌ ａｃｅｔａｔｅ）層２０２１及び該２つのＥＶＡ層２０２１との間に位置する太陽電池セル２０２２を備える。各ＥＶＡ層２０２１は、片状を呈す。太陽電池セル２０２２は、従来の太陽電池セルの構造である。保護板２０１は、外表面及び内表面を備える。外表面には、抗ＵＶ（ｕｌｔｒａｖｉｏｌｅｔ）薄膜をコーティングして、保護板２０１の使用寿命が長くなる。内表面には、橋かけ剤をコーティングするか、或いは微構造を形成して、ＥＶＡ層２０２１と保護板２０１との結合力を向上させる。微構造は、真空吸着の機能を有する。
【０００９】
支持部材２０３には、１つ或いは複数の内部空間が形成され、１つ或いは複数の内部空間には、相変化材料が収容される。該相変化材料は、吸熱することができるので、太陽電池モジュール２００の放熱効果を向上させる。第一実施形態に係る太陽電池モジュール２００の支持部材２０３は、中空のハニカム構造２０３１であり、該ハニカム構造２０３１の内部空間には、吸熱するための相変化材料が収容されている。
【００１０】
図４に示したように、本発明の第二実施形態に係る太陽電池モジュール２００Ａの構造は、第一実施形態に係る太陽電池モジュール２００の構造と同様である。第二実施形態に係る太陽電池モジュール２００Ａは、保護板２０１Ａ、太陽電池２０２Ａ及び支持部材２０３Ａの順に重なって構成される。第二実施形態に係る太陽電池モジュール２００Ａの支持部材２０３Ａは、互いに対向し、且つ一定な間隙をあける２つの中空のハニカム構造２０３１Ａを備える。２つのハニカム構造２０１３Ａの間には、内部空間２０３２Ａが形成されており、該内部空間２０３２Ａには、相変化材料が収容されて、放熱効果を向上させる。第一実施形態に係る太陽電池モジュール２００の構造と同様に、第二実施形態に係る太陽電池モジュール２００Ａのハニカム構造２０１３Ａにも相変化材料が収容されており、太陽電池モジュール２００Ａの放熱効果を向上させる。他の実施形態において、支持部材２０３Ａは、互いに対向し、且つ一定な間隙をあける複数の中空のハニカム構造２０３１Ａを備え、該複数の中空のハニカム構造２０３１Ａの間に複数の内部空間２０３２Ａが形成され、該複数の内部空間２０３２Ａに相変化材料が収容される。
【００１１】
図５及び図６に示したように、本発明の第三実施形態に係る太陽電池モジュール２００Ｂの構造は、第一実施形態に係る太陽電池モジュール２００の構造と同様である。太陽電池モジュール２００Ｂは、保護板２０１Ｂ、太陽電池２０２Ｂ及び支持部材２０３Ｂを備える。支持部材２０３Ｂには、１つ或いは複数の内部空間が形成されており、１つ或いは複数の内部空間には、相変化材料が収容されている。第三実施形態に係る太陽電池モジュール２００Ｂの支持部材２０３Ｂの上表面には、１つの金属板２０３２Ｂが設置されている。金属板２０３２Ｂは、太陽電池２０２Ｂとハニカム構造との間に設置されており、金属板２０３２Ｂの表面には、複数の通孔が設けられる。該金属板２０３２Ｂは、導熱機能が優れる金属或いは合金であり、例えば、アルミニウム、銅等から製造されて、太陽電池モジュール２００Ｂの熱膨張を吸収する。他の実施形態において、太陽電池モジュール２００Ｂの支持部材２０３Ｂは、第二実施形態に係る太陽電池モジュール２００Ａと同じ２つの中空のハニカム構造２０３１Ａを備え、該２つの中空のハニカム構造２０３１Ａは、互いに対向し、且つ一定な間隙をあけており、２つのハニカム構造２０１３Ａとの間には、内部空間２０３２Ａが形成されており、該内部空間２０３２Ａ及び２つのハニカム構造２０１３Ａには、相変化材料が収容される。
【００１２】
図７に示したように、本発明の第四実施形態に係る太陽電池モジュール２００Ｃの構造は、第三実施形態に係る太陽電池モジュール２００Ｂの構造と同様である。太陽電池モジュール２００Ｃは、保護板２０１Ｃ、太陽電池２０２Ｃ及び複数の支持部材２０３Ｃを備える。各支持部材２０３Ｃは、中空のハニカム構造であり、複数の支持部材２０３Ｃの間には、１つ或いは複数の内部空間を備え、１つ或いは複数の内部空間には、相変化材料が収容される。各支持部材２０３Ｃの表面には、１つの金属板が設置されており、該金属板の表面には、複数の通孔が設けられる。太陽電池モジュール２００Ｃの支持部材２０３Ｃは、第一接続部２０３３Ｃ及び第二接続部２０３４Ｃを備える。第一接続部２０３３Ｃ及び第二接続部２０３４Ｃは、それぞれ各支持部材２０３Ｃの対向する両側面に設置される。１つの支持部材２０３Ｃの第一接続部２０３３Ｃと、もう１つの支持部材２０３Ｃの第二接続部２０３４Ｃとを回転可能に接続して、複数の支持部材２０３Ｃが互いに回転可能に接続する。第一接続部２０３３Ｃ及び第二接続部２０３４Ｃは、一体的に支持部材２０３Ｃに成型されるか、或いはそれぞれ独立的に製造した後、第一接続部２０３３Ｃ及び第二接続部２０３４Ｃを支持部材２０３Ｃに取り組む。本実施形態において、太陽電池モジュール２００Ｃは、２つの支持部材２０３Ｃを備え、第一接続部２０３３Ｃは、細長い突起を備え、該突起は、支持部材２０３Ｃの一側面に形成され、且つ支持部材２０３Ｃの長手方向に沿って延在している。第二接続部２０３４Ｃは、該突起と組み合わせる凹溝を備え、該凹溝は、支持部材２０３Ｃの別の一側面に形成され、且つ支持部材２０３Ｃの長手方向に沿って延在している。突起の形状は、該凹溝の形状と組み合わせる。本実施形態において、突起は、円柱状を呈し、凹溝は、円柱状の凹溝であり、円柱状の突起は、円柱状の凹溝内に回転可能に収容される。第一接続部２０３３Ｃの突起と第二接続部２０３４Ｃの凹溝が組み合わされて、２つの支持部材２０３Ｃが回転可能に接続しており、且つ２つの支持部材２０３Ｃとの回転角度を調整することができる。２つの支持部材２０３Ｃの回転角度が調整できるため、異なる取り付け位置及び環境に設置することができ、例えば、建物の屋根に設置することができる。
【００１３】
２つの支持部材２０３Ｃを組み立てる場合、支持部材２０３Ｃの第一接続部２０３４Ｃの突起の一端は、もう１つの支持部材２０３Ｃの第二接続部２０３４Ｃの凹溝の一端と組み合わせた後、支持部材２０３Ｃを押して、支持部材２０３Ｃの第一接続部２０３４Ｃの突起がもう１つの支持部材２０３Ｃの第二接続部２０３４Ｃの凹溝に沿って移動して、２つの支持部材２０３Ｃが組み立てられる。２つの支持部材２０３Ｃを着脱する場合、支持部材２０３Ｃを押して、支持部材２０３Ｃの第一接続部２０３４Ｃの突起がもう１つの支持部材２０３Ｃの第二接続部２０３４Ｃの凹溝に沿って移動して、支持部材２０３Ｃの第一接続部２０３４Ｃの突起がもう１つの支持部材２０３Ｃの第二接続部２０３４Ｃの凹溝から着脱する。
【００１４】
他の実施形態において、支持部材２０３Ｃの数量は、２つに限らず、第一接続部２０３４Ｃの突起と第二接続部２０３４Ｃの凹溝との組み合わせによって、複数の支持部材２０３Ｃを接続することができる。
【００１５】
図８に示したように、本発明の第五実施形態に係る太陽電池モジュール２００Ｄの構造は、第四実施形態に係る太陽電池モジュール２００Ｃの構造と同様である。太陽電池モジュール２００Ｄは、保護板２０１Ｄ、太陽電池２０２Ｄ及び支持部材２０３Ｄを備える。支持部材２０３Ｄは、中空のハニカム構造であり、且つ１つ或いは複数の内部空間が形成され、１つ或いは複数の内部空間には、相変化材料が収容されている。各支持部材２０３Ｄの表面には、１つの金属板が設置されており、該金属板には、複数の通孔が設けられる。本実施形態において、太陽電池モジュール２００Ｄの支持部材２０３Ｄは、第一接続部２０３３Ｄ及び第二接続部２０３４Ｄを備える。第一接続部２０３３Ｄ及び第二接続部２０３４Ｄは、それぞれ各支持部材２０３Ｄの対向する両側に設置される。第一接続部２０３３Ｄ及び第二接続部２０３４Ｄは、一体的に支持部材２０３Ｄに成型するか、或いはそれぞれ独立的に製造した後、支持部材２０３Ｄに組み立てる。本実施形態において、太陽電池モジュール２００Ｄは、２つの支持部材２０３Ｄを備え、第一接続部２０３３Ｄは、細長い中空の突起を備え、該突起は、支持部材２０３Ｄの一側面に形成され、且つ支持部材２０３Ｄの長手方向に沿って延在している。第二接続部２０３４Ｄは、該突起と組み合わせる凹溝を備え、該凹溝は、支持部材２０３Ｄの別の一側面に形成され、且つ支持部材２０３Ｄの長手方向に沿って延在している。該中空の突起の内部は、電線を収容し、電線が突起の内部を通過する。突起の形状は、該凹溝の形状と組み合わせる。本実施形態において、突起は、円柱状を呈し、凹溝は、円柱状の凹溝であり、円柱状の突起は、円柱状の凹溝内に回転可能に収容される。突起には、該突起の一端から支持部材２０３Ｄの長手方向に沿って通過孔が設けられる。電線が該通過孔内に収容され、且つ該通過孔を通過するため、外部から熱によって、電線が損壊することを防止する。
【００１６】
太陽電池モジュール２００Ｄを組み立てる場合、支持部材２０３Ｄの第一接続部２０３４Ｄの突起の通過孔に電線を通過した後、支持部材２０３Ｄの第一接続部２０３４Ｄの突起の一端は、もう１つの支持部材２０３Ｄの第二接続部２０３４Ｄの凹溝の一端を組み合わせた後、支持部材２０３Ｄを押して、支持部材２０３Ｄの第一接続部２０３４Ｄの突起がもう１つの支持部材２０３Ｄの第二接続部２０３４Ｄの凹溝に沿って移動して、２つの支持部材２０３Ｄが組み立てられる。他の実施形態において、支持部材２０３Ｄともう１つの支持部材２０３Ｄを組み立てた後、突起の通過孔に電線を通過する。２つの支持部材２０３Ｄを着脱する場合、支持部材２０３Ｄを押して、支持部材２０３Ｄの第一接続部２０３４Ｄの突起がもう１つの支持部材２０３Ｄの第二接続部２０３４Ｄの凹溝に沿って移動して、支持部材２０３Ｄの第一接続部２０３４Ｄの突起がもう１つの支持部材２０３Ｄの第二接続部２０３４Ｄの凹溝から着脱する。
【００１７】
図９に示したように、本発明の第六実施形態に係る太陽電池モジュール２００Ｅの構造は、第四実施形態に係る太陽電池モジュール２００Ｃの構造と同様である。太陽電池モジュール２００Ｅは、保護板２０１Ｅ、太陽電池２０２Ｅ及び支持部材２０３Ｅを備える。支持部材２０３Ｅは、中空のハニカム構造であり、且つ１つ或いは複数の内部空間が形成され、１つ、或いは複数の内部空間には、相変化材料が収容されている。各支持部材２０３Ｅの表面には、１つの金属板が設置されており、該金属板には、複数の通孔が設けられる。本実施形態において、太陽電池モジュール２００Ｅの支持部材２０３Ｅは、第一接続部２０３３Ｅ、第二接続部２０３４Ｅ及び第一接続部２０３３Ｅと第二接続部２０３４Ｅを接続する接続棒２０３５Ｅを備える。第一接続部２０３３Ｅ及び第二接続部２０３４Ｅは、それぞれ支持部材２０３Ｅの対向する両側面に設置される。第一接続部２０３３Ｅ及び第二接続部２０３４Ｅは、一体的に支持部材２０３Ｅに成型するか、或いはそれぞれ独立的に製造した後、支持部材２０３Ｅに組み立てる。本実施形態において、第一接続部２０３３Ｅは、支持部材２０３Ｅの一側面の両端に設置されている第一中空部及び第二中空部を備え、第二接続部２０３４Ｅは、支持部材２０３Ｅの別の一側面に第三中空部が形成される。第三中空部の位置は、第一中空部と第二中空部との間に形成した空間と対向しており、第三中空部の長さは、第一中空部と第二中空部との間の間隙より小さい。支持部材２０３Ｅの第二接続部２０３４Ｅの第三中空部は、もう１つの支持部材２０３Ｅの第一接続部２０３３Ｅの第一中空部と第二中空部との間に収容され、接続棒２０３５Ｅは、第一中空部、第三中空部及び第二中空部の順に通過して、２つの支持部材２０３Ｅが回転可能に接続される。２つの支持部材２０３Ｅが回転角度を調整して、異なる取り付け位置及び環境に取り付けることができる。
【００１８】
２つの支持部材２０３Ｅを組み立てる場合、支持部材２０３Ｅの第二接続部２０３４Ｅの第三中空部は、もう１つの支持部材２０３Ｅの第一接続部２０３３Ｅの第一中空部と第二中空部との間に収容され、接続棒２０３５Ｅは、第一中空部、第三中空部及び第二中空部の順に通過して、２つの支持部材２０３Ｅが回転可能に接続される。２つの支持部材２０３Ｅを着脱させる場合、接続棒２０３５Ｅを第一中空部、第三中空部及び第二中空部から抜き出した後、２つの支持部材２０３Ｅを分離する。
【００１９】
図１０に示したように、本発明の第七実施形態に係る太陽電池モジュール２００Ｆの構造は、第四実施形態に係る太陽電池モジュール２００Ｃの構造と同様である。太陽電池モジュール２００Ｆは、保護板２０１Ｆ、太陽電池２０２Ｆ及び複数の支持部材２０３Ｆを備える。支持部材２０３Ｆは、中空のハニカム構造であり、且つ１つ或いは複数の内部空間を備え、１つ或いは複数の内部空間には、相変化材料が収容される。各支持部材２０３Ｆの表面には、１つの金属板が設置されており、該金属板の表面には、複数の通孔が設けられる。本実施形態において、各支持部材２０３Ｆは、第一支持部材２０３３Ｆは、第一接続部２０３３Ｆ及ぶ第二接続部２０３４Ｆを備え、第一接続部２０３３Ｆ及び第二接続部２０３４Ｆは、それぞれ支持部材２０３Ｆの対向する両側面に設置される。第一接続部２０３３Ｆ及び第二接続部２０３４Ｆは、一体的に支持部材２０３Ｆが成型するか、或いはそれぞれ独立的に製造した後、第一接続部２０３３Ｆ及び第二接続部２０３４Ｆを支持部材２０３Ｆに取り組む。第一接続部２０３３Ｆ及び第二接続部２０３４Ｆは、それぞれ四角柱を呈し、第一接続部２０３３Ｆには、第一斜面が形成され、第二接続部２０３４Ｆには、第二斜面が形成され、第一斜面は、第二斜面と接触して組み合わせる。従って、１つの支持部材２０３Ｆともう１つの支持部材２０３Ｆとが成す角度は、第一斜面と第二斜面の角度によって決まり、異なる取り付け位置及び取り付け環境によって、１つの支持部材２０３Ｆともう１つの支持部材２０３Ｆとが成す角度を設計する。
【００２０】
２つの支持部材２０３Ｆを組み立てる場合、１つの支持部材２０３Ｆの第一接続部２０３３Ｆの第一斜面と、もう１つの支持部材２０３Ｆの第二接続部２０３４Ｆの第二斜面とを接触させ、且つ固定する。２つの支持部材２０３Ｆを着脱する場合、１つの支持部材２０３Ｆの第一接続部２０３３Ｆの第一斜面と、もう１つの支持部材２０３Ｆの第二接続部２０３４Ｆの第二斜面とを分離する。
【００２１】
他の実施形態において、２つの支持部材２０３Ｆの接続の安定性のために、２つの支持部材２０３Ｆを一体的に成型するか、或いは第一接続部２０３３Ｆの第一斜面と第二接続部２０３４Ｆの第二斜面と間に、接着剤をコーティングするか、或いは微構造を形成して、２つの支持部材２０３Ｆとの結合力を向上させる。
【００２２】
他の実施形態において、第一接続部２０３３Ｆ及び第二接続部２０３４Ｆは、コイル、フック及びねじりばね等を設置して２つの支持部材２０３Ｆが回転可能な接続する構造である。
【００２３】
図１１に示したように、本発明の第八実施形態に係る太陽電池モジュール２００Ｇの構造は、第一実施形態に係る太陽電池モジュール２００の構造と同様である。太陽電池モジュール２００Ｇは、保護板２０１Ｇ、太陽電池２０２Ｇ及び支持部材２０３Ｇを備える。太陽電池モジュール２００Ｇの支持部材２０３Ｇは、複数の中空の組み立て構造２０３１Ｇを備える。各組み立て構造２０３１Ｇは、ハニカム構造を備え、ハニカム構造の内部空間には、吸熱用の相変化材料を収容する。各組み立て構造２０３１Ｇの一側には、突起が形成され、別の一側には、凹溝が形成される。突起の形状は、凹溝の形状と同じであり、該凹溝のサイズは、該突起より大きい。１つの組み立て構造２０３１Ｇの突起は、もう１つの組み立て構造２０３１Ｇの凹溝に収容され、突起と凹溝との間の間隙は、熱膨張を吸収する。該組み立て構造２０３１Ｇの体積が小さくなり、組み立て或いは着脱が便利である。
【００２４】
従来の技術に比べて、本発明の支持部材２０３は、１つ或いは複数の内部空間が形成され、１つ或いは複数の内部空間には、相変化材料が収容されて、放熱効果を向上させ、太陽電池モジュールが熱を原因として損壊することを防止し、且つ通孔が設けられている金属板、或いは支持部材の組み立て構造２０３１Ｇとの間隙によって熱膨張を吸収する。また、本発明の複数の支持部材２０３は、回転可能に接続、或いは取り付け角度を設計した後固定的に接続して、異なる角度を形成して、異なる取り付け位置及び取り付け環境に適用できる。従って、支持部材を有する太陽電池モジュール２００の放熱機能が優れ、熱膨張を吸収する機能を有して、異なる取り付け位置及び取り付け環境に適用できる。
【符号の説明】
【００２５】
１００、２００、２００Ａ、２００Ｂ、２００Ｃ、２００Ｄ、２００Ｅ、２００Ｆ  太陽電池モジュール
１０１、２０１、２０１Ａ、２０１Ｂ、２０１Ｃ、２０１Ｄ、２０１Ｅ、２０１Ｆ、２０１Ｇ、  保護板
１０２、２０２、２０２Ａ、２０２Ｂ、２０２Ｃ、２０２Ｄ、２０２Ｅ、２０２Ｆ、２０２Ｇ  太陽電池
１０３  バックシート
１０４、２０３、２０３Ａ、２０３Ｂ、２０３Ｃ、２０３Ｄ、２０３Ｅ、２０３Ｆ、２０３Ｇ  支持部材
２０２１  ＥＶＡ層
２０２２  太陽電池セル
２０３１、２０３１Ａ  ハニカム構造
２０３２Ａ  内部空間
２０３２Ｂ  金属板
２０３３Ｃ、２０３３Ｄ、２０３３Ｅ、２０３３Ｆ  第一接続部
２０３４Ｃ、２０３４Ｄ、２０３４Ｅ、２０３４Ｆ  第二接続部、
２０３４Ｇ  組み立て構造
２０３５Ｅ  接続棒
【図１】
2016219789.tif 000003
【図２】
2016219789.tif 000004
【図３】
2016219789.tif 000005
【図４】
2016219789.tif 000006
【図５】
2016219789.tif 000007
【図６】
2016219789.tif 000008
【図７】
2016219789.tif 000009
【図８】
2016219789.tif 000010
【図９】
2016219789.tif 000011
【図１０】
2016219789.tif 000012
【図１１】
2016219789.tif 000013